(57)【要約】【課題】電圧パルスの印加タイミングや波高値に関する緻密な調整や制御が不要で、且つコストを抑制した製造が可能な５電極プラズマディスプレイパネルの駆動方法を提供する。【解決手段】１フィールドの表示期間を複数のサブフィールド(SF)に分割し、サブフィールド(SF)各々において画素データに応じて放電セルを発光状態又は非発光状態のいずれか一方に設定する画素データ書込行程と、サブフィールド(SF)各々において、発光状態の放電セルのみを発光させる維持放電を生起せしめる第１の維持パルス列IPXと該第１の維持パルス列IPXとは位相が異なる第２の維持パルス列IPYとを行電極(X電極、XS電極、Y電極、YS電極)に印加する発光維持行程と、を含み、上記発光維持行程では、Y電極(走査電極Y1〜Yn)及びYS電極(補助走査電極YS1〜YSn)に第１の維持パルス列が印加され、X電極(維持電極X1〜Xn)及びXS電極(補助維持電極XS1〜XSn)に第２の維持パルス列が印加される。【選択図】図１
2007310062.tif 000002
【特許請求の範囲】
【請求項１】
走査ライン毎に配列された複数の行電極と前記行電極に交叉して配列された複数の列電極との各交点にて１画素に対応した放電セルを形成し、前記行電極は走査電極、維持電極、補助走査電極、及び補助維持電極の４つの電極群からなり、該４つの電極群で１走査ラインを構成するプラズマディスプレイパネルの駆動方法であって、
１フィールドの表示期間を複数のサブフィールドに分割し、該サブフィールド各々において画素データに応じて前記放電セルを発光状態又は非発光状態のいずれか一方に設定する画素データ書込行程と、
前記サブフィールド各々において前記発光状態の放電セルのみを発光させる維持放電を生起せしめる第１の維持パルス列、及び該第１の維持パルス列とは位相が異なる第２の維持パルス列とを前記行電極に印加する発光維持行程を含み、
前記発光維持行程では、前記走査電極及び前記補助走査電極に前記第１の維持パルス列が印加され、前記維持電極及び前記補助維持電極に前記第２の維持パルス列が印加されることを特徴とするプラズマディスプレイパネルの駆動方法。
【請求項２】
前記発光維持行程において、前記走査電極及び前記補助走査電極に印加される維持パルスは同一のパルスであり、また、前記維持電極及び前記補助維持電極に印加される維持パルスは同一のパルスであることを特徴とする請求項１に記載のプラズマディスプレイパネルの駆動方法。
【請求項３】
前記発光維持行程では、前記走査電極と前記維持電極との間、前記走査電極と前記補助維持電極との間、及び前記補助走査電極と前記維持電極との間、で夫々前記維持放電が生起することを特徴とする請求項１に記載のプラズマディスプレイパネルの駆動方法。
【請求項４】
前記画素データ書込行程では、前記発光状態又は前記非発光状態のいずれか一方に設定する選択放電を生起せしめる走査パルスを、前記走査電極及び前記補助走査電極に印加することを特徴とする請求項１に記載のプラズマディスプレイパネルの駆動方法。
【請求項５】
前記サブフィールドの先頭において全ての前記放電セルを初期化するリセット放電を生起せしめるリセットパルスを印加するリセット行程を含み、
前記走査電極及び前記補助走査電極に印加される前記リセットパルスは同一のパルスであり、また、前記維持電極及び前記補助維持電極に印加される前記リセットパルスは同一のパルスであることを特徴とする請求項１に記載のプラズマディスプレイパネルの駆動方法。
【請求項６】
前記４つの電極群は、列方向に維持電極、補助走査電極、補助維持電極、走査電極、の順に配列されていることを特徴とする請求項１に記載のプラズマディスプレイパネルの駆動方法。
【請求項７】
前記４つの電極群は、列方向に補助走査電極、維持電極、走査電極、補助維持電極、の順に配列されていることを特徴とする請求項１に記載のプラズマディスプレイパネルの駆動方法。
【発明の詳細な説明】
【技術分野】
【０００１】
本発明は、５電極プラズマディスプレイパネルを搭載したプラズマディスプレイパネルの駆動方法に関する。
【背景技術】
【０００２】
大型画面テレビなど、プラズマディスプレイパネル（ＰＤＰ）を搭載したディスプレイ装置が普及している。プラズマディスプレイパネルは、従来、走査電極及び維持電極で走査ラインを構成する３電極ＰＤＰ（走査電極と維持電極にアドレス電極を加えて「３電極」と称する）が主流であった。ところが、近年、発光効率の向上を目的として、走査電極、維持電極に更に２本の補助電極を加え、４本の行電極で走査ラインを構成する５電極ＰＤＰが提案されている（例えば、特許文献１参照）。
【０００３】
例えば、特許文献１に開示されたプラズマディスプレイパネルでは、発光維持行程で、２本のトリガ電極（補助電極に該当する）に交流パルス電圧であるトリガパルス電圧を印加して補助放電を起こし、その後に維持電極対（走査電極と維持電極に該当する）に維持パルス電圧を印加することによって維持放電を実施している。
【０００４】
しかしながら、上記構成では、補助放電発生から維持放電を発生させるための維持電極対に印加する電圧パルスの印加タイミングに緻密な調整と制御が必要であり、また、補助放電を発生させる電圧パルスの波高値にも調整が必要なため、面内における電圧特性のばらつきが比較的大きくなる大画面では５電極ＰＤＰを導入しづらいという課題があった。
【０００５】
また、５電極ＰＤＰは、３電極ＰＤＰと比較して、新たにトリガ電極用のドライバを設けなければならず、製造コストが高くなるという課題もあった。
【特許文献１】特開２００１−２３６８９５号公報（第４頁−第５頁、図５）
【発明の開示】
【発明が解決しようとする課題】
【０００６】
本発明が解決しようとする課題としては、電圧パルスの印加タイミングや波高値に関する緻密な調整や制御が不要で、且つコストを抑制した製造が可能な５電極のプラズマディスプレイパネルの駆動方法を提供することが一例として挙げられる。
【課題を解決するための手段】
【０００７】
前記課題を解決するために、請求項１に記載のプラズマディスプレイパネルの駆動方法は、走査ライン毎に配列された複数の行電極と前記行電極に交叉して配列された複数の列電極との各交点にて１画素に対応した放電セルを形成し、前記行電極は走査電極、維持電極、補助走査電極、及び補助維持電極の４つの電極群からなり、該４つの電極群で１走査ラインを構成するプラズマディスプレイパネルの駆動方法であって、１フィールドの表示期間を複数のサブフィールドに分割し、該サブフィールド各々において画素データに応じて前記放電セルを発光状態又は非発光状態のいずれか一方に設定する画素データ書込行程と、前記サブフィールド各々において前記発光状態の放電セルのみを発光させる維持放電を生起せしめる第１の維持パルス列、及び該第１の維持パルス列とは位相が異なる第２の維持パルス列とを前記行電極に印加する発光維持行程を含み、前記発光維持行程では、前記走査電極及び前記補助走査電極に前記第１の維持パルス列が印加され、前記維持電極及び前記補助維持電極に前記第２の維持パルス列が印加されることを特徴とする。
【発明を実施するための最良の形態】
【０００８】
以下、本発明の実施の形態について説明する。
本発明の実施の形態に係るプラズマディスプレイパネルの駆動方法は、走査ライン毎に配列された複数の行電極と行電極に交叉して配列された複数の列電極との各交点にて１画素に対応した放電セルを形成し、上記の行電極は走査電極、維持電極、補助走査電極、及び補助維持電極の４つの電極群からなり、該４つの電極群で１走査ラインを構成するプラズマディスプレイパネルの駆動方法であり、下記（１）の画素データ書込行程と（２）の発光維持行程とを含むものである。
（１）  １フィールドの表示期間を複数のサブフィールドに分割し、該サブフィールド各々において画素データに応じて前記放電セルを発光状態又は非発光状態のいずれか一方に設定する画素データ書込行程。
（２）  サブフィールド各々において発光状態の放電セルのみを発光させる維持放電を生起せしめる第１の維持パルス列、及び該第１の維持パルス列とは位相が異なる第２の維持パルス列とを行電極に印加する発光維持行程。
さらに、上記（２）の発光維持行程では、走査電極及び補助走査電極に第１の維持パルス列が印加され、維持電極及び補助維持電極に第２の維持パルス列が印加されることをその最良の形態とするものである。
以下、本発明の実施の形態に係るプラズマディスプレイパネルの駆動方法の具体的な実施例について図面を参照して詳細に説明する。
【０００９】
（実施例１）
図１は、本発明の実施の形態に係るプラズマディスプレイパネルの駆動方法の実施例１における概略構成を示す図である。図１に示すように、実施例１においてプラズマディスプレイパネル（ＰＤＰ）１０を駆動する駆動部は、主に、Ａ／Ｄ変換器１、駆動制御回路２、データ変換回路３、メモリ４、アドレスドライバ６、第１サスティンドライバ７、第２サスティンドライバ８によって構成されている。
【００１０】
ＰＤＰ１０は、アドレス電極としてのｍ個の列電極Ｄ1〜Ｄmと、これら列電極各々と交叉して配列されているｎ個の維持電極Ｘ1〜Ｘn、走査電極Ｙ1〜Ｙn、補助維持電極ＸＳ１〜ＸＳｎ、補助走査電極ＹＳ１〜ＹＳｎの行電極群を備えている。これらの維持電極Ｘ（以下、「Ｘ電極」と称する）、走査電極Ｙ（以下、「Ｙ電極」と称する）、補助維持電極ＸＳ（以下、「ＸＳ電極」と称する）、補助走査電極ＹＳ（以下、「ＹＳ電極」と称する）は対を成し、ＰＤＰ１０における１行分（１表示ライン）に対応した行電極を形成している。列電極Ｄ、行電極群は放電空間に対して誘電体層で被覆されており、各行電極群と列電極との交点にて１画素に対応した放電セルが形成される構造となっている。なお、行電極群はすべて同一平面状に形成され、例えば、表示面側の基板である前面基板上に平行に配列される。
【００１１】
Ａ／Ｄ変換器１は、駆動制御回路２から供給されるクロック信号に応じて、入力されたアナログの入力映像信号をサンプリングしてこれを１画素毎に対応した画素データＤ（例えば、８ビット）に変換し、これをデータ変換回路３に供給する。
【００１２】
データ変換回路３は、画素データＤに対して輝度調整処理等を施した後、ＰＤＰ１０の各放電セルを、例えば、１４のサブフィールド各々で発光駆動させる為の１４ビットの変換画素データＨＤに変換してメモリ４に供給する。
【００１３】
メモリ４は、駆動制御回路２から供給される書込信号に従って上記変換画素データＨＤを順次書き込む。１画面（ｎ行、ｍ列）分の変換画素データＨＤの書き込みが終了すると、メモリ４は、１画面分の変換画素データＨＤを、駆動制御回路２から供給された読出信号に応じて１行分毎に順次読み出し、各ビット桁毎に分割した画素駆動データビットＤＢとして、アドレスドライバ６へ供給する。
【００１４】
駆動制御回路２は、上記入力映像信号中の水平及び垂直同期信号に同期して、Ａ／Ｄ変換器１に対するクロック信号及びメモリ４に対する書込及び読出信号を発生する。更に、駆動制御回路２は、ＰＤＰ１０を駆動制御すべきタイミング信号を、アドレスドライバ６、第１サスティンドライバ７及び第２サスティンドライバ８のそれぞれに供給する。
【００１５】
アドレスドライバ６、第１サスティンドライバ７、第２サスティンドライバ８は、ＰＤＰ１０を駆動すべく駆動制御回路２から供給されたタイミング信号に応じて各種の駆動パルスを発生し、これらをＰＤＰ１０の列電極Ｄ1〜Ｄm、行電極群（Ｘ1〜Ｘn、Ｙ1〜Ｙn、ＸＳ１〜ＸＳｎ、ＹＳ１〜ＹＳｎ）に印加する。この時、Ｘ電極及びＸＳ電極はドライバ７に接続され、Ｙ電極及びＹＳ電極はドライバ８に接続されている。そして１放電セル単位で見ると、ドライバ７に接続される行電極群（Ｘ電極、ＸＳ電極）とドライバ８に接続される行電極群（Ｙ電極、ＹＳ電極）とが列方向に互い違いに配置されている。
【００１６】
次に、放電セルの構成を図２を引用して説明する。図２は、前面基板側から１つの放電セルを見たときの構成を示す模式図である。放電セルは背面板側に形成された図示しない隔壁により、１放電セル毎に区画されている。Ｘ電極及びＹ電極はＩＴＯ等からなる透明電極１１と、透明電極１１に積層された金属製のバス電極１２からなる。
【００１７】
ＸＳ電極及びＹＳ電極は金属製のバス電極１２からなる。なお、このＸＳ電極とＹＳ電極は共に、Ｘ電極及びＹ電極と同様に、透明電極１１とバス電極１２の２層構造としてもよい。
【００１８】
電極配置は、Ｘ電極及びＹ電極が両端に配置され、放電セル中央側にＹＳ電極及びＸＳ電極が配置される。また、ドライバ７に接続される行電極群（Ｘ電極、ＸＳ電極）とドライバ８に接続される行電極群（Ｙ電極、ＹＳ電極）とが列方向に互い違いに配置されている。
【００１９】
次に、図３を引用して、各駆動パルスの印加状態を説明する。図３は、１フィールドの表示期間を複数のサブフィールド（ＳＦ）に分割した際の、１つのＳＦの駆動パルスの印加状態を示した図である。なお、本実施例におけるＰＤＰは、所謂ＡＤＳ法（Address Display Separated：アドレス／サステイン分離方式）により駆動される。
【００２０】
一斉リセット行程Ｒｃでは、第１サスティンドライバ７は、ＰＤＰ１０のＸ電極及びＸＳ電極にリセットパルスＲＰＸを印加し、第２サスティンドライバ８は、Ｙ電極及びＹＳ電極にＲＰＹを同時に印加する。この時、第２サスティンドライバ８はＹ電極及びＹＳ電極で共通であり、第１サスティンドライバ７はＸ電極及びＸＳ電極で共通であるので、図示の如く、それぞれのドライバにおいて同一パルスが「Ｙ電極及びＹＳ電極」と「Ｘ電極及びＸＳ電極」とにそれぞれ印加される。
【００２１】
そのため、ＰＤＰ１０中の全ての放電セルにおいて、「Ｘ電極とＹＳ電極との間」「ＸＳ電極とＹ電極との間」及び「Ｘ電極とＹ電極との間」の各放電ギャップ間で、リセット放電が発生し、各放電セル内に強制的に壁電荷を形成させる（Ｒ１）。その直後に、第１サスティンドライバ７は、消去パルスＥＰをＰＤＰ１０のＸ電極及びＸＳ電極に一斉に印加する。この場合もＸ電極及びＸＳ電極に印加されるパルスは同一パルスとなる。この消去パルスＥＰを印加することにより、全放電セル内に形成された上記壁電荷を消去させる消去放電を生起せしめる（Ｒ２）。つまり、上記一斉リセット行程Ｒｃの実行により、ＰＤＰ１０における全ての放電セルは壁電荷を保有しない“非発光セル”の状態に初期化されるのである。
【００２２】
次に、各サブフィールドで実行される画素データ書込行程Ｗｃでは、アドレスドライバ６は、メモリ４から供給された画素駆動データビットＤＢの論理レベルに応じた電圧を有する画素データパルスＤＰを生成し、これを１行分毎に順次列電極Ｄ1〜Ｄmに印加する。
【００２３】
第２サスティンドライバ８は、これら画素データパルス群ＤＰ各々の印加タイミングと同一タイミングで負極性の走査パルスＳＰを発生し、これを図３に示すように、Ｙ電極（Ｙ１〜Ｙn）及びＹＳ電極（ＹＳ１〜ＹＳn）へと順次印加して行く。この場合も「Ｙ１とＹＳ１」、「Ｙ２とＹＳ２」・・・「ＹnとＹＳn」の組それぞれに印加されるパルスは同一パルスとなる。
【００２４】
この際、走査パルスＳＰが印加された“行”と、高電圧の画素データパルスが印加された“列”との交差部の放電セルにのみ放電（選択書込放電）が生じ、その放電セル内に壁電荷が形成される。よって、上記一斉リセット行程Ｒｃで“非発光セル”の状態に初期化された放電セルは、“発光セル”に推移する。
【００２５】
なお、低電圧の画素データパルスが印加された“列”に形成されている放電セルでは、例え走査パルスＳＰが印加されても上述のような選択書込放電は生起されないので、現時点の状態を保持する。すなわち、“非発光セル”の状態にある放電セルは“非発光セル”の状態を保持するのである。
【００２６】
次に、各サブフィールドで実行される発光維持行程Ｉcでは、図３に示すように、第２サスティンドライバ８が正極性の維持パルスＩＰＹをＹ電極（Ｙ１〜Ｙn）及びＹＳ電極（ＹＳ１〜ＹＳn）へ印加し、第１サスティンドライバ７が正極性の維持パルスＩＰＸをＸ電極（Ｘ１〜Ｘn）及びＸＳ電極（ＸＳ１〜ＸＳn）へ印加する。この時、第２サスティンドライバ８はＹ電極及びＹＳ電極で共通であり、第１サスティンドライバ７はＸ電極及びＸＳ電極で共通であるので、図に示すように、それぞれのドライバにおいて同一パルスが「Ｙ電極及びＹＳ電極」と「Ｘ電極及びＸＳ電極」とにそれぞれ印加される。この時、維持パルスＩＰＹと、維持パルスＩＰＸとは交互に印加される。すなわち、維持パルスＩＰＹからなる維持パルス列と、維持パルスＩＰＸからなる維持パルス列とでは、位相が異なる。
【００２７】
ここで、各サブフィールドの発光維持行程Ｉｃにおいて印加する維持パルスＩＰの回数は、各サブフィールドに割り当てられた重みに対応する。
【００２８】
上述したような維持パルスＩＰの印加により、壁電荷を保有している放電セル、すなわち“発光セル”のみが、これら維持パルスＩＰＸ及びＩＰＹが印加される度に維持放電し、上記回数(期間)分だけ発光を繰り返してその発光状態を維持する。
【００２９】
この時、維持放電は「Ｘ電極とＹＳ電極との間」、「ＸＳ電極とＹ電極との間」、及び「Ｘ電極とＹ電極との間」の各放電ギャップ間で発生する。
図４は、本発明の実施の形態に係るプラズマディスプレイパネルの駆動方法の実施例１において、任意１つの放電セルの維持放電の状態を模式的に示す図である。
【００３０】
図３に戻り、最後に、サブフィールドの最後尾で実施される消去行程Ｅでは、図に示すように、第２サスティンドライバ８が消去パルスＥＰを発生してこれをＹ電極及びＹＳ電極に印加する。この時、第２サスティンドライバ８はＹ電極及びＹＳ電極で共通であるので、図に示すように同一パルスが「Ｙ電極及びＹＳ電極」に印加される。
【００３１】
この消去パルスＥＰの印加に応じて、ＰＤＰ１０における全放電セル内において消去放電が生起され、全ての放電セル内に残存している壁電荷が消滅する。すなわち、消去放電によりＰＤＰ１０における全ての放電セルが“非発光セル”になるのである。
【００３２】
すなわち、本実施例での特徴的な部分は、1つの主放電電極（Ｘ電極、Ｙ電極）と1つの補助放電電極（ＸＳ電極、ＹＳ電極）を対として、1つの単位セルの内に主放電対及び補助放電電極対を設けることである。この場合、Ｘ電極−Ｙ電極間に、ＸＳ電極及びＹＳ電極を配列した構成であるので、Ｘ電極−Ｙ電極間の主放電ギャップ間にＸ電極−ＹＳ電極からなる補助放電ギャップ、及びＹ電極−ＸＳ電極からなる補助放電ギャップが形成される。なお、主放電ギャップのギャップ距離に比べて、補助放電ギャップの距離は短くなっている。
【００３３】
そして、発光維持行程では、一つの対を構成する主放電電極（Ｙ電極）と補助放電電極（ＸＳ電極）にはＡＣ放電が成立する維持パルスＩＰＹのパルス列と維持パルスＩＰＸのパルス列がそれぞれ印加される。もう一方の対を構成する主放電電極（Ｘ電極）と補助放電電極（ＹＳ電極）には、それぞれ維持パルスＩＰＸのパルス列と維持パルスＩＰＹのパルス列が印加される。すなわち、発光維持行程において全行電極群に印加されるパルス列は、位相の異なる２種類のみである。
【００３４】
この時、距離が短い補助放電ギャップで発生した放電により、プライミング粒子が発生し、距離が長い主放電ギャップで発生する放電を誘発する。
【００３５】
以上のように、本発明の実施例１におけるプラズマディスプレイの駆動方法によれば、発光維持行程時に２つの主放電電極近傍で同時に補助放電（「Ｘ電極とＹＳ電極との維持放電」及び「ＸＳ電極とＹ電極との維持放電」）を発生させる構成であるため、補助放電から主放電（「Ｙ電極とＸ電極との維持放電」）を容易且つ確実に誘発することができる。つまり、補助放電発生から主放電を発生させるための主放電電極に印加する電圧パルスの印加タイミングや、補助放電を発生させる電圧パルスの波高値に関する緻密な調整や制御が不要であるため、従来の補助放電方式（５電極ＰＤＰ）に比べ、大画面パネルなどへの適用が容易に行える。
【００３６】
また、維持放電（「Ｘ電極とＹＳ電極との維持放電」及び「ＸＳ電極とＹ電極との維持放電」）を発生させるために特別な電圧パルスを用意する必要がないため、補助電極専用のドライバが不要となる。従って、従来の３電極ＰＤＰと同様のドライバ数でＰＤＰを駆動することができ、従来の補助放電方式（５電極ＰＤＰ）に比べ、駆動回路の製造コストを低減できる。
【００３７】
（実施例２）
図５は、本発明の実施の形態に係るプラズマディスプレイパネルの駆動方法の実施例２における概略構成を示す図である。本実施例２におけるＰＤＰ２０は、実施例１におけるＰＤＰ１０と比較して、行電極の配列順番が入れ替わっている点が異なる。
【００３８】
具体的には、実施例１のＰＤＰ１０では行電極配列が１放電セル当たり、列方向に「Ｘ電極、ＹＳ電極、ＸＳ電極、Ｙ電極」の順で配列されているが、実施例２のＰＤＰ２０では「ＹＳ電極、Ｘ電極、Ｙ電極、ＸＳ電極」の順で配列されている。なお、その他の構成は実施例１と同じであり、従って詳細な説明は省略する。
【００３９】
次に、放電セルの構成を図６を引用して説明する。図６は、前面基板側から１放電セルを見たときの構成を示す模式図である。放電セルは背面板側に形成された図示しない隔壁により、１放電セル毎に区画されている。Ｘ電極及びＹ電極はＩＴＯ等からなる透明電極１１と、透明電極１１に積層された金属製のバス電極１２からなる。
【００４０】
ＸＳ電極及びＹＳ電極は金属製のバス電極１２からなる。なお、このＸＳ電極、ＹＳ電極は共に、Ｘ電極及びＹ電極と同様に、透明電極１１とバス電極１２の２層構造としてもよい。
【００４１】
電極配置はＹＳ電極及びＸＳ電極が両端に配置され、放電セル中央側に、Ｘ電極及びＹ電極が配置される。また、実施例１のＰＤＰ１０と同様に、ドライバ７に接続される行電極（Ｘ電極、ＸＳ電極）とドライバ８に接続される行電極（Ｙ電極、ＹＳ電極）とが列方向に互い違いに配置されている。
【００４２】
この時、Ｘ−Ｙ電極間の主放電ギャップ距離に比べて、Ｘ−ＹＳ電極間及びＹ−ＸＳ電極間の補助放電ギャップ距離が狭くなるように配列される。実施例１のＰＤＰ１０の構成では、主放電ギャップの中に補助放電ギャップが設けられる構成であったので、必然的に「主放電ギャップ距離＞補助放電ギャップ距離」となったが、本実施例はそうではないので距離の調整が必要となる。
【００４３】
「主放電ギャップ距離＞補助放電ギャップ距離」とする理由は、実施例１のＰＤＰ１０と同様に、補助放電ギャップ間で発生する維持放電に誘発されて主放電ギャップ間で維持放電が行われるようにするため、即ち補助放電ギャップ間で維持放電が発生し易くするため、また、主放電ギャップ間で発生する維持放電を長距離放電とすることにより、高発光効率を得るためである。
【００４４】
更に、本実施例２のＰＤＰ２０では、前面基板側から見て、２つの補助放電ギャップが隠れるように、黒色層であるブラックストライプ層ＢＳが形成されている点が実施例１のＰＤＰ１０とは異なる。補助放電ギャップ上にブラックストライプ層ＢＳを設けたことにより、リセット行程時に補助放電ギャップで発生するリセット放電を表示面側から見て隠すことができる。従って、実施例１のＰＤＰ１０と比較して、黒輝度を低減させることができ、暗コントラストが向上する。
【００４５】
次に、各駆動パルスの印加状態は、実施例１と同様であるため（図３参照）、詳細な説明を省略する。図７は、本発明の実施例２におけるＰＤＰ２０の、任意１つの放電セルの維持放電の状態を模式的に示す図である。
【００４６】
以上のように、本発明の実施の形態に係るプラズマディスプレイパネルの駆動方法の実施例２によれば、制御が容易で製造コストを低減できるという実施例１と同様の効果に加え、黒輝度を低減して暗コントラストを向上させることができる。
【００４７】
なお、上記各実施例では、画素データ書込方式として所謂「選択書込アドレス法」を用いる例について説明した。即ち、リセット行程でリセット放電により全放電セルの壁電荷を消去することにより非発光状態に初期化し、画素データ書込行程で発光状態にすべき放電セルに書込放電を実行して壁電荷を形成することにより発光状態に設定した。
【００４８】
しかしながら、これにとらわれるものではなく、例えば、所謂「選択消去アドレス法」を採用可能であることは言うまでもない。即ち、リセット行程でリセット放電により全放電セルに壁電荷を形成することにより発光状態に初期化し、画素データ書込行程で非発光状態にすべき放電セルに消去放電を実施して壁電荷を消去することにより非発光状態に設定する。
【００４９】
更に、全サブフィールドの先頭部で必ずリセット行程を設ける構成でなくてもかまわない。例えば、１フィールド中の先頭のサブフィールドにおいてのみリセット行程を設ける構成でもよく、また複数のサブフィールドに１回リセット行程を設けるサブフィールドを配置し、他のサブフィールドにおいてはリセット行程を設けないサブフィールドとしてもよい。
【００５０】
以上、詳述したように、本実施の形態に係るプラズマディスプレイパネルの駆動方法は、１フィールドの表示期間を複数のサブフィールド（ＳＦ）に分割し、サブフィールド（ＳＦ）各々において画素データに応じて放電セルを発光状態又は非発光状態のいずれか一方に設定する画素データ書込行程と、サブフィールド（ＳＦ）各々において、発光状態の放電セルのみを発光させる維持放電を生起せしめる第１の維持パルス列ＩＰＸと該第１の維持パルス列ＩＰＸとは位相が異なる第２の維持パルス列ＩＰＹとを行電極（Ｘ電極、ＸＳ電極、Ｙ電極、ＹＳ電極）に印加する発光維持行程と、を含み、上記発光維持行程では、Ｙ電極（走査電極Ｙ１〜Ｙｎ）及びＹＳ電極（補助走査電極ＹＳ１〜ＹＳｎ）に第１の維持パルス列が印加され、Ｘ電極（維持電極Ｘ1〜Ｘn）及びＸＳ電極（補助維持電極ＸＳ１〜ＸＳｎ）に第２の維持パルス列が印加される。
【００５１】
これにより、５電極プラズマディスプレイパネルにおいて、電圧パルスの印加タイミングや波高値に関する制御が容易で、且つコストを抑制した製造が可能となり、大画面パネルなどへの適用が容易に行うことができる。
【図面の簡単な説明】
【００５２】
【図１】本発明の実施の形態に係るプラズマディスプレイパネルの駆動方法の実施例１における概略構成を示す図である。
【図２】本発明の実施の形態に係るプラズマディスプレイパネルの駆動方法の実施例１において、前面基板側から１つの放電セルを見たときの構成を示す模式図である。
【図３】本発明の実施の形態に係るプラズマディスプレイパネルの駆動方法の実施例１において、１フィールドの表示期間を複数のサブフィールドに分割した際の、１つのサブフィールドの駆動パルスの印加状態を示した図である。
【図４】本発明の実施の形態に係るプラズマディスプレイパネルの駆動方法の実施例１において、任意１つの放電セルの維持放電の状態を模式的に示す図である。
【図５】本発明の実施の形態に係るプラズマディスプレイパネルの駆動方法の実施例２における概略構成を示す図である。
【図６】本発明の実施の形態に係るプラズマディスプレイパネルの駆動方法の実施例２において、前面基板側から１放電セルを見たときの構成を示す模式図である。
【図７】本発明の実施の形態に係るプラズマディスプレイパネルの駆動方法の実施例２において、任意１つの放電セルの維持放電の状態を模式的に示す図である。
【符号の説明】
【００５３】
１  Ａ／Ｄ変換器
２  駆動制御回路
３  データ変換回路
４  メモリ
６  アドレスドライバ
７  第１サスティンドライバ
８  第２サスティンドライバ
１０、２０  ＰＤＰ（プラズマディスプレイパネル）
１１  透明電極
１２  バス電極
ＩＰＸ  第１の維持パルス列
ＩＰＹ  第２の維持パルス列
ＳＦ  サブフィールド
Ｘ1〜Ｘn  維持電極
ＸＳ１〜ＸＳｎ  補助維持電極
Ｙ1〜Ｙn  走査電極
ＹＳ１〜ＹＳｎ  補助走査電極
【図１】
2007310062.tif 000003
【図２】
2007310062.tif 000004
【図３】
2007310062.tif 000005
【図４】
2007310062.tif 000006
【図５】
2007310062.tif 000007
【図６】
2007310062.tif 000008
【図７】
2007310062.tif 000009